(57)【要約】【課題】一種類の製品で異なる複数の半田付け方法に対応できる端子構造のコイル巻装部品を提供することにある。【解決手段】ボビン中央部２及び端子取付部３ａ，４ａを形成するボビン端部３，４を有するボビン１と、該ボビンのボビン中央部２に添設され該ボビン中央部と共にコイル巻装部６を形成するコア５と、コイル巻装部６に巻装されたコイル７，８と、端子取付部３ａ，４ａにインサート固定される基端部とボビン端部３，４から外方へ突出する実装端子１１ａ，１２ａ，１３ａ及びコイル接続端子１１ｂ，１２ｂ，１３ｂを有する端子金具１２，１３とを備え、前記実装端子１１ａ，１２ａ，１３ａをボビン端部３，４から外方へ突出させた状態あるいはボビン端部３，４の外側で該ボビン端部の外側面に沿って折曲させた状態にすることにより、異なる複数の半田付け方法に対応させたことを特徴とする。【選択図】      図１
2006294747.tif 000002
【特許請求の範囲】
【請求項１】
ボビン中央部及びこのボビン中央部の両端部に設けられた端子取付部を形成するボビン端部を有するボビンと、
前記ボビンのボビン中央部に添設され該ボビン中央部と共にコイル巻装部を形成するコアと、
前記コイル巻装部に巻装されたコイルと、
前記端子取付部にインサート固定される基端部と前記ボビン端部から外方へ突出する実装端子及び前記コイルと接続されるコイル接続端子を有するボビン両端の端子金具とを備え、
前記端子金具の実装端子を前記ボビン端部から外方へ突出させた状態あるいは前記ボビン端部の外側で該ボビン端部の外側面に沿って折曲させた状態にすることにより、異なる複数の半田付け方法に対応させたことを特徴とするコイル巻装部品。
【請求項２】
前記実装端子は端子付根部から端子先端までの突出長さが、前記ボビン端部から外方へ略水平に突出する空中配線半田対応の製品状態において、前記実装端子をボビン端部の外側面に沿って折曲させ該端子先端部をボビン端部から外方へ略直角の外折り開脚状態で延出させた手付け半田対応の状態と、前記実装端子をボビン端部の外側面に沿って折曲させ該端子先端部をボビン端部の下面沿いに略直角の内折り閉脚状態で延出させたリフロー半田対応の状態とに折曲対応し得る長さに設定されていることを特徴とする請求項１に記載のコイル巻装部品。
【請求項３】
前記ボビン端部の外側面には、ボビン端部から外方へ突出する実装端子が該実装端子をボビン端部の外側面に沿って折曲させた時に嵌合する端子嵌合溝が設けられていることを特徴とする請求項１に記載のコイル巻装部品。
【発明の詳細な説明】
【技術分野】
【０００１】
この発明は、例えばカメラ等の光学機器や小型電子機器等に使用されるトリガーコイル、トランス等のコイル巻装部品に関する。
【背景技術】
【０００２】
従来、下記特許文献１に記載のインバータトランスとしてのコイル巻装部品は知られている。
【０００３】
このインバータトランスとして構成された従来のコイル巻装部品は、ボビン中央部及び該ボビン中央部の両端部に設けられた端子取付部を形成するボビン端部を有するボビンと、このボビンのボビン中央部に添設され該ボビン中央部と共にコイル巻装部を形成するコアと、前記コイル巻装部に巻装される図示省略のコイルと、前記端子取付部にインサート固定される基端部と前記ボビン端部から外方へ突出する実装端子及び前記コイルと接続されるコイル接続端子を有するボビン両端の端子金具とを具備する。
【特許文献１】特開２００２−２５８３６号公報
【発明の開示】
【発明が解決しようとする課題】
【０００４】
しかし、インバータトランスとして構成された従来のコイル巻装部品は、ボビン端部から外方へ突出する実装端子が一つの半田付け方法にのみ対応する端子構造に形成されている。従って、手付け半田対応、リフロー半田対応、空中配線半田対応のような客先が要求する複数の半田付け方法に対応するためには、別端子構造のコイル巻装部品を個別的に製作する必要があり、これでは金型費用や製造設備費等のイニシャルコストが高くなるという問題があった。
【０００５】
この発明は、前記事情に着目してなされたもので、その目的とするところは、一種類の製品で異なる複数の半田付け方法に対応できる端子構造のコイル巻装部品を提供することにある。
【課題を解決するための手段】
【０００６】
この発明は、前記の目的を達成するために、請求項１のコイル巻装部品は、ボビン中央部及びこのボビン中央部の両端部に設けられた端子取付部を形成するボビン端部を有するボビンと、前記ボビンのボビン中央部に添設され該ボビン中央部と共にコイル巻装部を形成するコアと、前記コイル巻装部に巻装されたコイルと、前記端子取付部にインサート固定される基端部と前記ボビン端部から外方へ突出する実装端子及び前記コイルと接続されるコイル接続端子を有するボビン両端の端子金具とを具備し、前記端子金具の実装端子を前記ボビン端部から外方へ突出させた状態あるいは前記ボビン端部の外側で該ボビン端部の外側面に沿って折曲させた状態にすることにより、異なる複数の半田付け方法に対応させたことを特徴とする。
【０００７】
前記実装端子は端子付根部から端子先端までの突出長さが、前記ボビン端部から外方へ略水平に突出する空中配線半田対応の製品状態において、前記実装端子をボビン端部の外側面に沿って折曲させ該端子先端部をボビン端部から外方へ略直角の外折り開脚状態で延出させた手付け半田対応の状態と、前記実装端子をボビン端部の外側面に沿って折曲させ該端子先端部をボビン端部の下面沿いに略直角の内折り閉脚状態で延出させたリフロー半田対応の状態とに折曲対応し得る長さに設定される。
【０００８】
請求項３では、前記ボビン端部の外側面に、ボビン端部から外方へ突出する実装端子が該実装端子をボビン端部の外側面に沿って折曲させた時に嵌合する端子嵌合溝を設けたことを特徴とする。
【発明の効果】
【０００９】
請求項１及び２のコイル巻装部品によれば、一種類の製品で異なる複数の半田付け方法に対応でき、金型費用や製造設備費等のコトダウンを図ることができる。
【００１０】
また、請求項３のコイル巻装部品によれば、請求項１及び２の効果に加え、実装端子をボビン端部の外側面に沿って折曲させた手付け半田対応及びリフロー半田対応の状態で実装端子が変形、破損するのを端子嵌合溝に対する実装端子の嵌合で防止することができ、実装端子の強度アップが図れるという効果を奏する。
【発明を実施するための最良の形態】
【００１１】
以下、この発明の実施の形態（本発明のコイル巻装端子をトリガーコイルとして構成した場合の実施形態）を図面に従い具体的に説明する。図１は前記トリガーコイルを空中配線半田対応の製品状態で示した中央縦断面図、図２は図１を下側から見た一部切欠の底面図、図３（ａ）は図１を左方向から見た左側面図、図３（ｂ）は図１を右方向から見た右側面図である。
【００１２】
図中１は合成樹脂の電気絶縁材料で一体成形したボビンで、このボビン１は扁平板状をなすボビン中央部２と、このボビン中央部２の両端に一体的に設けられた端子取付部３ａ，４ａを形成するボビン端部３，４とを有し、このボビン端部３，４の対向内面部には下端開口のコア嵌挿溝５ａ，５ｂが凹設されている。なお、本実施態様の場合、前記ボビン中央部２は幅１．８ｍｍ、長さ５mm位の扁平板状をなし、また前記ボビン端部３，４は幅３．６mm、高さ３．４ｍｍ、厚さ１．７ｍｍ位の大きさに形成されている。
【００１３】
５は前記ボビン１のボビン中央部２に添設され該ボビン中央部２と共にコイル巻装部６を形成するコアで、電気絶縁性の低い材料例えばマンガン系のフェライト材で形成され、両端を前記ボビン端部３，４のコア嵌挿溝５ａ，５ｂに嵌合してボビン中央部２に接合する状態に添設固定されている。なお、本実施態様の場合、前記コア５は幅１．９mm、高さ１．４ｍｍ、長さ５．８ｍｍ位の大きさに形成されている。
【００１４】
７は前記コイル巻装部６に巻装された２次巻線コイル、８はこの２次巻線コイル７の外側に巻装された１次巻線コイルを示す。
【００１５】
１１，１２は前記ボビン１一端の端子取付部３ａに図２、図３（ａ）の如き間隔を存して配設される２個の端子金具で、この両端子金具１１，１２は前記端子取付部３ａにインサート固定される基端部１１ｃ，１２ｃと、前記ボビン端部３の中央部位置から外方へ長く突出する実装端子１１ａ，１２ａ及び前記ボビン端部３の上方変位位置から外方へ短く突出するコイル接続端子１１ｂ，１２ｂとを有する。
【００１６】
１３は前記ボビン１他端の端子取付部４ａに配設される一個の端子金具で、この端子金具は前記端子取付部４ａにインサート固定される基端部１３ｃと、前記ボビン端部４の中央部位置から外方へ長く突出する実装端子１３a1，１３a2及び前記ボビン端部４の上方変位位置から外方へ短く突出するコイル接続端子１３ｂとを有する。
【００１７】
そして、前記端子金具１２，１３のコイル接続端子１２ｂ，１３ｂには２次巻線コイル７の両端延出線部が巻線接続され、また前記端子金具１１，１２のコイル接続端子１１ｂ，１２ｂには１次巻線コイル８の両端延出線部が巻線接続されている。
【００１８】
前記ボビン端部３，４の外側面には、該ボビン端部から外方へ突出する実装端子１１ａ，１２ａ，１３a1，１３a2がボビン端部３，４の外側面に沿って折曲させた状態（図５、図７の状態）で嵌合する端子嵌合溝２１，２２，２３，２４が図１、図３の如く設けられている。
【００１９】
前記前記実装端子１１ａ，１２ａ，１３a1，１３a2は、端子付根部から端子先端までの突出長さｄが、前記ボビン端部３，４から外方へ略水平に突出する図１の如き空中配線半田対応の製品状態において、前記実装端子１１ａ，１２ａ，１３a1，１３a2をボビン端部３，４の外側面に沿って折曲させ該端子先端部ａをボビン端部３，４から外方へ略直角の外折り開脚状態で延出させた図５の如き手付け半田対応の状態と、前記実装端子１１ａ，１２ａ，１３a1，１３a2をボビン端部３，４の外側面に沿って折曲させ該端子先端部ａをボビン端部３，４の下面沿いに略直角の内折り閉脚状態で延出させた図７の如きリフロー半田対応の状態とに折曲対応し得る長さに設定されている。
【００２０】
なお本実施態様の場合、前記実装端子１１ａ，１２ａ，１３a1，１３a2は、幅０．４mm、厚さ０．２ｍｍ位の金属帯板状をなし、端子付根部から端子先端までの突出長さｄは例えば２ｍｍ位に設定されている。
【００２１】
図４は空中配線半田対応のトリガーコイルを示した正面図であって、ボビン端部３，４から外方へ略水平に突出する実装端子１１ａ，１２ａ，１３a1，１３a2を客先希望の長さにカットすることにより、空中配線（リード配線）半田対応のトリガーコイルにすることができる。
【００２２】
図６は手付け半田対応の端子曲げ方法を分図（ａ）（ｂ）（ｃ）として示したもので、図４及び図６（ａ）の如く突出する実装端子１１ａ，１２ａを端子途中から矢印方向に図６（ｂ）の如く略直角に折り曲げ、更に端子付け根部より図６（ｃ）の如く矢印方向に略直角に折り曲げるという方法を各実装端子１１ａ，１２ａ，１３a1，１３a2に適用実施することにより、各実装端子１１ａ，１２ａ，１３a1，１３a2がボビン端部３，４の外側面に沿って折曲され、各端子先端部ａがボビン端部３，４から外方へ略直角の外折り開脚状態で延出する図５の如き手付け半田対応の端子構造を持ったトリガーコイルに変更することができる。
【００２３】
図８はリフロー半田対応の端子曲げ方法を分図（ａ）（ｂ）（ｃ）として示したもので、図４及び図８（ａ）の如く突出する実装端子１１ａ，１２ａを端子途中から矢印方向に図８（ｂ）の如く略直角に折り曲げ、更に端子付け根部より図８（ｃ）の如く矢印方向に略直角に折り曲げるという方法を各実装端子１１ａ，１２ａ，１３a1，１３a2に適用実施することにより、各実装端子１１ａ，１２ａ，１３a1，１３a2がボビン端部３，４の外側面に沿って折曲され、各端子先端部ａがボビン端部３，４の下面沿いに略直角の内折り閉脚状態で延出する図７の如きリフロー半田対応の端子構造を持ったトリガーコイルに変更することができる。
【００２４】
なお、この発明は前記実施形態そのままに限定されるものではなく、実施段階ではその要旨を逸脱しない範囲で構成要素を変形して具体化できる。例えば、この発明はカメラ等の光学機器や小型電子機器等に使用されるトランス等のコイル巻装部品に適用することも可能である。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００２５】
【図１】この発明の実施の形態に係るトリガーコイルを空中配線半田対応の製品形態で示した中央縦断面図。
【図２】図１を下側から見た一部切欠の底面図。
【図３】分図（ａ）は図１を左方向から見た左側面図、分図（ｂ）は図１を右方向から見た右側面図。
【図４】空中配線半田対応のトリガーコイルを示した正面図。
【図５】手付け半田対応のトリガーコイルを示した正面図。
【図６】手付け半田対応の端子曲げ方法を分図（ａ）（ｂ）（ｃ）として示した説明図。
【図７】リフロー半田対応のトリガーコイルを示した正面図。
【図８】リフロー半田対応の端子曲げ方法を分図（ａ）（ｂ）（ｃ）として示した説明図。
【符号の説明】
【００２６】
１…ボビン、２…ボビン中央部、３，４…ボビン端部、３ａ，４ａ…端子取付部、５…コア、６…コイル巻装部、７，８…コイル、１１，１２，１３…端子金具、１１ａ，１２ａ，１３a1，１３a2…実装端子、１１ｂ，１２ｂ，１３ｂ…コイル接続端子、１１ｃ，１２ｃ，１３ｃ…端子基端部、２１，２２，２３，２４…端子嵌合溝。
【図１】
2006294747.tif 000003
【図２】
2006294747.tif 000004
【図３】
2006294747.tif 000005
【図４】
2006294747.tif 000006
【図５】
2006294747.tif 000007
【図６】
2006294747.tif 000008
【図７】
2006294747.tif 000009
【図８】
2006294747.tif 000010